(57)【要約】【課題】色特性の補正に使用する測色器に応じた色特性の補正の種類を提示することができる色補正装置、画像形成システム及びプログラムを提供する。【解決手段】サーバ装置６は、画像形成装置８が出力した色票を測色する測色器ごとに、該測色器が対応可能な色特性の補正の種類を予め定義した定義情報を記憶する定義情報記憶部２０４と、定義情報に基づいて、前記測色器ごとの対応可能な色特性の補正の種類を表示手段に表示するよう制御する表示制御部２０６とを有する。【選択図】図９
2015019193.tif 000002
【特許請求の範囲】
【請求項１】
画像形成装置が出力した色票を測色する測色器ごとに、該測色器が対応可能な色特性の補正の種類を予め定義した定義情報を記憶する記憶手段と、
前記記憶手段が記憶する定義情報に基づいて、前記測色器ごとの対応可能な色特性の補正の種類を表示手段に表示するよう制御する表示制御手段と
を有する色補正装置。
【請求項２】
前記記憶手段は、出力色空間における多次色の色特性の補正に前記測色器が対応可能であるか否かを示す定義情報を記憶する
請求項１記載の色補正装置。
【請求項３】
前記測色器のうち色特性の補正に用いる測色器を選択する選択手段と、
前記選択手段により選択された測色器が対応可能な種類のうち実施する種類を指定する指定手段と、
前記指定手段により指定された色特性の補正の種類に応じた色票を出力するよう制御する色票出力制御手段と
をさらに有する請求項１又は２記載の色補正装置。
【請求項４】
画像を形成して出力する画像形成装置と、
前記画像形成装置が出力した色票を測色する測色器ごとに、該測色器が対応可能な色特性の補正の種類を予め定義した定義情報を記憶する記憶手段と、
前記記憶手段が記憶する定義情報に基づいて、前記測色器ごとの対応可能な色特性の補正の種類を表示手段に表示するよう制御する表示制御手段と
を有する色補正装置と
を備える画像形成システム。
【請求項５】
前記画像形成装置は複数あり、
前記記憶手段は、前記画像形成装置ごとの定義情報を記憶する
請求項４記載の画像形成システム。
【請求項６】
画像形成装置が出力した色票を測色する測色器ごとに、該測色器が対応可能な色特性の補正の種類を予め定義した定義情報を記憶する記憶ステップと、
記憶された定義情報に基づいて、前記測色器ごとの対応可能な色特性の補正の種類を表示手段に表示するよう制御する表示制御ステップと
をコンピュータに実行させるプログラム。
【発明の詳細な説明】
【技術分野】
【０００１】
本発明は、色補正装置、画像形成システム及びプログラムに関する。
【背景技術】
【０００２】
特許文献１は、使用する色材の色毎に異なる階調値に基づく複数のパッチパターンを有するパッチシートを出力する画像形成手段と、第一の測色デバイスと当該第一の測色デバイスよりも測色精度の低い第二の測色デバイスを含む複数の測色デバイスの中から、デバイスを選択する指示を受け取る選択手段と、前記選択指示を受けた測色デバイスで測色された前記パッチシートの測色結果のデータを受け取る測色手段と、前記受け取った測色結果データに基づいて、前記各パッチパターンの測色値を取得する測色値決定手段と、前記取得された測色値に基づいて、前記画像形成手段の色補正情報を生成する色調整手段とを有し、前記出力されるパッチシートは、前記選択指示を受けた測色デバイスに関わらず共通であり、前記測色値決定手段は、前記第二の測色デバイスが前記選択指示を受けた場合には、前記各パッチパターンの測色値を、当該パッチパターン内に存在する複数の前記測色結果データを平均化処理することによって取得することを特徴とするキャリブレーションシステムについて開示している。
【先行技術文献】
【特許文献】
【０００３】
【特許文献１】特開２００７−０６８１４５号公報
【発明の概要】
【発明が解決しようとする課題】
【０００４】
本発明の目的は、色特性の補正に使用する測色器に応じた色特性の補正の種類を提示することができる色補正装置、画像形成システム及びプログラムを提供することである。
【課題を解決するための手段】
【０００５】
請求項１に係る本発明は、画像形成装置が出力した色票を測色する測色器ごとに、該測色器が対応可能な色特性の補正の種類を予め定義した定義情報を記憶する記憶手段と、前記記憶手段が記憶する定義情報に基づいて、前記測色器ごとの対応可能な色特性の補正の種類を表示手段に表示するよう制御する表示制御手段とを有する色補正装置である。
【０００６】
請求項２に係る本発明は、前記記憶手段は、出力色空間における多次色の色特性の補正に前記測色器が対応可能であるか否かを示す定義情報を記憶する請求項１記載の色補正装置である。
【０００７】
請求項３に係る本発明は、前記測色器のうち色特性の補正に用いる測色器を選択する選択手段と、前記選択手段により選択された測色器が対応可能な種類のうち実施する種類を指定する指定手段と、前記指定手段により指定された色特性の補正の種類に応じた色票を出力するよう制御する色票出力制御手段とをさらに有する請求項１又は２記載の色補正装置である。
【０００８】
請求項４に係る本発明は、画像を形成して出力する画像形成装置と、前記画像形成装置が出力した色票を測色する測色器ごとに、該測色器が対応可能な色特性の補正の種類を予め定義した定義情報を記憶する記憶手段と、前記記憶手段が記憶する定義情報に基づいて、前記測色器ごとの対応可能な色特性の補正の種類を表示手段に表示するよう制御する表示制御手段とを有する色補正装置とを備える画像形成システムである。
【０００９】
請求項５に係る本発明は、前記画像形成装置は複数あり、前記記憶手段は、前記画像形成装置ごとの定義情報を記憶する請求項４記載の画像形成システムである。
【００１０】
請求項６に係る本発明は、画像形成装置が出力した色票を測色する測色器ごとに、該測色器が対応可能な色特性の補正の種類を予め定義した定義情報を記憶する記憶ステップと、記憶された定義情報に基づいて、前記測色器ごとの対応可能な色特性の補正の種類を表示手段に表示するよう制御する表示制御ステップとをコンピュータに実行させるプログラムである。
【発明の効果】
【００１１】
請求項１に係る本発明によれば、色特性の補正に使用する測色器に応じた色特性の補正の種類を提示することができる色補正装置を提供することができる。
【００１２】
請求項２に係る本発明によれば、請求項１に係る本発明の効果に加え、測色器ごとに多次色の色特性の補正のために使用してもよいかを提示することができる色補正装置を提供することができる。
【００１３】
請求項３に係る本発明によれば、請求項１又は２に係る本発明の効果に加え、選択された測色器が対応可能な種類の色特性の補正に用いられる色票を出力することができる色補正装置を提供することができる。
【００１４】
請求項４に係る本発明によれば、色特性の補正に使用する測色器に応じた色特性の補正の種類を提示することができる画像形成システムを提供することができる。
【００１５】
請求項５に係る本発明によれば、請求項４に係る本発明の効果に加え、画像形成装置ごとに対応している測色器が異なる場合であっても、当該画像形成装置における色特性の補正に使用される測色器に応じた色特性の補正の種類を提示することができる画像形成システムを提供することができる。
【００１６】
請求項６に係る本発明によれば、色特性の補正に使用する測色器に応じた色特性の補正の種類を提示することができるプログラムを提供することができる。
【図面の簡単な説明】
【００１７】
【図１】本発明の実施形態に係る画像形成システム２の構成の一例を示す模式図である。
【図２】本発明の実施形態に係る画像形成装置８の模式図である。
【図３】本実施形態の画像形成システム２における画像形成装置８のハードウェア構成を示す模式図である。
【図４】本実施形態の画像形成システム２におけるサーバ装置６のハードウェア構成を示すブロック図である。
【図５】プログラムが実行されることにより実現される、色補正装置としての機能としてのサーバ装置６の機能構成を示すブロック図である。
【図６】定義情報記憶部２０４が記憶する画像形成装置８−１に対する定義情報の一例を示す模式図である。
【図７】画像形成装置８の色特性の補正を行う場合に、表示制御部２０６の制御により表示される設定画面の一例を示す模式図であり、（ａ）は、色特性の補正の際に画像形成装置８から画像形成出力された色票を測色する測色器を選択する操作を受付ける際の画面表示の一例を示し、（ｂ）及び（ｃ）は、選択された測色器が対応可能な色特性の補正の種類のうち実施する色特性の補正を指示する操作を受付ける際の画面表示の例を示している。
【図８】色票出力制御部２１２により、色特性の補正対象の画像形成装置８において出力されるカラーチャートの一例を示す模式図であり、（ａ）は、「単色キャリブレーション」の場合のカラーチャートを示し、（ｂ）は、「多次元キャリブレーション」の場合のカラーチャートを示している。
【図９】表示制御部２０６による設定画面の表示制御についての動作の一例を示すフローチャートである。
【発明を実施するための形態】
【００１８】
以下、本発明の実施形態について図面を参照して詳細に説明する。
図１は、本発明の実施形態に係る画像形成システム２の構成の一例を示す模式図である。本発明の画像形成システム２は、図１に示されるように、パーソナルコンピュータ等により構成される端末装置４−１〜４−ｎ（ｎは、１以上の整数）と、これら端末装置４−１〜４−ｎとネットワークを介して接続されたサーバ装置６と、このサーバ装置６とネットワークを介して接続された画像形成装置８−１〜８−ｍ（ｍは、１以上の整数）とから構成されている。以下、「端末装置４−１〜４−ｎ」、「画像形成装置８−１〜８−ｍ」について、複数存在しうる各装置のいずれかを特定せずに示す場合には、単に「端末装置４」、「画像形成装置８」と略記することがある。
【００１９】
端末装置４は、印刷データを生成して、生成した印刷データをサーバ装置６を介して画像形成装置８へと送信する。サーバ装置６は、いわゆるプリントサーバとして機能する装置であり、端末装置４から送信された印刷データに対し、色変換処理、補正処理などの画像処理を施し、指定された画像形成装置８へと出力する。本実施形態では、このサーバ装置６が、各画像形成装置８における出力色空間の色特性を補正する色補正装置としても機能する。画像形成装置８は、端末装置４から送信された印刷データを受け付けて、印刷データに応じた画像を用紙上に出力する。
【００２０】
ここで、まず画像形成装置８の構成の一例について説明する。
図２は、本発明の実施形態に係る画像形成装置８の模式図である。
【００２１】
図２に示すように、画像形成装置８は、通信装置１２、画像読取ユニット１４、画像形成ユニット１６、中間転写ベルト１８、用紙トレイ２０、用紙搬送路２２、定着器２４、インラインセンサ２６、ユーザインタフェース（ＵＩ）装置２８などを有する。
【００２２】
この画像形成装置８は、通信装置１２によってネットワークを介して受信した印刷データに基づいて画像を印刷するプリント機能を備えている。
【００２３】
まず、画像形成装置８の概略を説明すると、画像形成装置８の例えば上部には、通信装置１２及び画像読取ユニット１４が配設されている。通信装置１２は、ＬＡＮなどのネットワークを介して外部の装置と通信を行う、データ回線終端装置などの通信装置である。画像読取ユニット１４は、原稿３０に表示された画像を読み取る機能を有し、本実施形態では色特性の補正用の色票を読取る。通信装置１２を介して入力された印刷データ、又は画像読取ユニット１４が読み取った画像データは、画像形成ユニット１６に対して出力される。
【００２４】
また、画像形成装置８の上面には、例えばタッチパネルなどのＵＩ装置２８が設けられている。ＵＩ装置２８は、画像形成装置８に動作に関する情報を表示すると共に、操作入力などのユーザによる入力を受入れる。
【００２５】
さらに、画像形成装置８には、カラー画像を構成する色に対応して、複数の画像形成ユニット１６が配設されている。本実施形態では、黒（Ｋ）、イエロー（Ｙ）、マゼンタ（Ｍ）、シアン（Ｃ）の各色に対応して第１の画像形成ユニット１６Ｋ、第２の画像形成ユニット１６Ｙ、第３の画像形成ユニット１６Ｍ及び第４の画像形成ユニット１６Ｃが、中間転写ベルト１８に沿って間隔を空けて配列されている。中間転写ベルト１８は、中間転写体として図中矢印Ａの方向に回動する。
【００２６】
これら４つの画像形成ユニット１６Ｋ、１６Ｙ、１６Ｍ、１６Ｃは、入力された画像データに基づいて各色のトナー像を順次形成し、これら複数のトナー像が互いに重ね合わせられるタイミングで中間転写ベルト１８に転写（一次転写）する。なお、各画像形成ユニット１６Ｋ、１６Ｙ、１６Ｍ、１６Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００２７】
用紙搬送路２２は、中間転写ベルト１８の下方に配設されている。用紙トレイ２０から供給された記録媒体である記録用紙３２は、この用紙搬送路２２上を搬送され、上記中間転写ベルト１８上に多重に転写された各色のトナー像が一括して転写（二次転写）され、転写されたトナー像が定着器２４によって定着され、矢印Ｂに沿って外部に排出される。
【００２８】
定着器の下流には、インラインセンサ２６が設けられており、定着器２４によって定着された記録用紙３２に形成された画像は、このインラインセンサ２６により読み取られる。本実施形態では、インラインセンサ２６は、色補正に用いる色票を読取って、色票の色を測色する測色器としても機能する。
【００２９】
次に、画像形成装置８の各構成についてより詳細に説明する。
図２に示すように、画像読取ユニット１４は、原稿３０を載せるプラテンガラス３４と、この原稿３０をプラテンガラス３４上に押圧するプラテンカバー３６と、プラテンガラス３４上に載置された原稿３０の画像を読み取る画像読取部３８とを有する。この画像読取部３８は、プラテンガラス３４上に載置された原稿３０を光源４０によって照明し、原稿３０からの反射光像を、フルレートミラー４２、第１のハーフレートミラー４４、第２のハーフレートミラー４６及び結像レンズ４８からなる縮小光学系を介して、ＣＣＤ等からなる画像読取素子５０上に走査露光して、この画像読取素子５０によって原稿３０の色材反射光像を予め定められたドット密度で読み取るように構成されている。
【００３０】
本実施形態では、画像読取ユニット１４は、色補正に用いる色票を読取って、色票の色を測色する測色器としても機能する。
【００３１】
次に画像形成ユニット１６について説明する。第１の画像形成ユニット１６Ｋ、第２の画像形成ユニット１６Ｙ、第３の画像形成ユニット１６Ｍ及び第４の画像形成ユニット１６Ｃは、水平方向に間隔をおいて並列的に配置され、形成する画像の色が異なる他は、同様に構成されている。そこで、以下、第１の画像形成ユニット１６Ｋについて説明する。なお、各画像形成ユニット１６の構成は、Ｋ、Ｙ、Ｍ又はＣを付すことにより区別する。
【００３２】
画像形成ユニット１６Ｋは、入力された画像データに応じてレーザ光を走査する光走査装置５２Ｋと、この光走査装置５２Ｋにより走査されたレーザ光により静電潜像が形成される像形成装置５４Ｋとを有する。
【００３３】
光走査装置５２Ｋは、半導体レーザ５６Ｋを黒色（Ｋ）の画像データに応じて変調して、この半導体レーザ５６Ｋからレーザ光ＬＢ（Ｋ）を画像データに応じて出射する。この半導体レーザ５６Ｋから出射されたレーザ光ＬＢ（Ｋ）は、第１の反射ミラー５８Ｋ及び第２の反射ミラー６０Ｋを介して回転多面鏡６２Ｋに照射され、この回転多面鏡６２Ｋよって偏向走査され、第２の反射ミラー６０Ｋ、第３の反射ミラー６４Ｋ及び第４の反射ミラー６６Ｋを介して、像形成装置５４Ｋの感光体ドラム６８Ｋ上に照射される。
【００３４】
像形成装置５４Ｋは、矢印Ａの方向に沿って所定の回転速度で回転する像担持体としての感光体ドラム６８Ｋと、この感光体ドラム６８Ｋの表面を一様に帯電する帯電手段としての一次帯電用のスコロトロン７０Ｋと、感光体ドラム６８Ｋ上に形成された静電潜像を現像する現像器７２Ｋと、クリーニング装置７４Ｋとから構成されている。感光体ドラム６８Ｋは、スコロトロン７０Ｋにより一様に帯電され、光走査装置５２Ｋにより照射されたレーザ光ＬＢ（Ｋ）により静電潜像を形成される。感光体ドラム６８Ｋに形成された静電潜像は、現像器７２Ｋにより黒色（Ｋ）のトナーで現像され、中間転写ベルト１８に転写される。なお、トナー像の転写工程の後に感光体ドラム６８Ｋに付着している残留トナー及び紙粉等は、クリーニング装置７４Ｋによって除去される。
【００３５】
他の画像形成ユニット１６Ｙ、１６Ｍ及び１６Ｃも、上記と同様に、イエロー（Ｙ）、マゼンタ（Ｍ）、シアン（Ｃ）の各色のトナー像を形成し、形成された各色のトナー像を中間転写ベルト１８に転写する。
【００３６】
中間転写ベルト１８は、ドライブロール７６と、第１のアイドルロール７８と、ステアリングロール８０と、第２のアイドルロール８２と、バックアップロール８４と、第３のアイドルロール８６との間に一定のテンションで掛け回されており、駆動モータ（不図示）によってドライブロール７６が回転駆動されることにより、矢印Ａの方向に、定められた速度で循環駆動される。この中間転写ベルト１８は、例えば、可撓性を有するポリイミド等の合成樹脂フィルムを帯状に形成し、この帯状に形成された合成樹脂フィルムの両端を溶着等によって接続することにより無端ベルト状に形成されたものである。
【００３７】
また、中間転写ベルト１８には、各画像形成ユニット１６Ｋ、１６Ｙ、１６Ｍ、１６Ｃに対向する位置にそれぞれ第１の一次転写ロール８８Ｋ、第２の一次転写ロール８８Ｙ、第３の一次転写ロール８８Ｍ及び第４の一次転写ロール８８Ｃが配設され、感光体ドラム６８Ｋ、６８Ｙ、６８Ｍ、６８Ｃ上に形成された各色のトナー像は、これらの一次転写ロール８８により中間転写ベルト１８上に多重に転写される。なお、中間転写ベルト１８に付着した残留トナーは、二次転写位置の下流に設けられたベルト用クリーニング装置９０のクリーニングブレード又はブラシにより除去される。
【００３８】
用紙搬送路２２には、用紙トレイ２０から記録用紙３２を取り出す給紙ローラ９２と、用紙搬送用の第１のローラ対９４、第２のローラ対９６及び第３のローラ対９８と、記録用紙３２を既定のタイミングで二次転写位置に搬送するレジストロール１００とが配設される。
【００３９】
また、用紙搬送路２２上の二次転写位置には、バックアップロール８４に圧接する二次転写ロール１０２が配設されており、中間転写ベルト１８上に多重に転写された各色のトナー像は、この二次転写ロール１０２による圧接力及び静電気力で記録用紙３２上に二次転写される。各色のトナー像が転写された記録用紙３２は、第１の搬送ベルト１０４及び第２の搬送ベルト１０６によって定着器２４へと搬送される。
【００４０】
定着器２４は、上記各色のトナー像が転写された記録用紙３２に対して加熱処理及び加圧処理を施すことにより、トナーを記録用紙３２に溶融固着させる。定着器２４による加圧処理を経た記録用紙３２は、第３の搬送ベルト１０８により搬送されることによりインラインセンサ２６を通過する。
【００４１】
インラインセンサ２６は、照射部が記録用紙３２に向けて光を照射し、記録用紙３２で反射された光を結像してＣＣＤ等からなる画像読取素子上に走査露光して、この画像読取素子によって記録用紙３２の色材反射光像を予め定められたドット密度で読み取るように構成されている。
【００４２】
図３は、画像形成装置８のハードウェア構成を示す模式図である。
【００４３】
図３に示すように、画像形成装置８は、ＣＰＵ１２０、メモリ１２２、記憶装置１２４、ＵＩ装置２８、通信装置１２、画像読取ユニット１４、インラインセンサ２６、画像形成ユニット１６、測色器接続インタフェース（ＩＦ）１２６を有し、画像形成装置８は、ネットワークを介した通信が可能なコンピュータとしての構成部分を有している。
【００４４】
ＣＰＵ１２０は、メモリ１２２に記憶されたプログラムに基づく処理を実行し、画像形成装置８の動作を制御する。記憶装置１２４は、例えば内蔵ＨＤＤなどである。なお、ＣＰＵ１２０は、記憶装置１２４に記憶されたプログラムを実行してもよい。
【００４５】
また、ＣＰＵ１２０は、メモリカード等の記憶媒体に格納されたプログラムを実行してもよく、又は通信装置１２を介して提供されるプログラムを実行してもよい。
【００４６】
測色器接続ＩＦ１２６は、色補正に用いる色票を読取って色票の色を測色する測色器を画像形成装置８と接続するためのインタフェースである。例えば、測色器接続ＩＦには、測定対象に対して光を照射し、その反射光を分光して各波長の反射率を測定する分光測色計が測色器として接続される。なお、測色器接続ＩＦに接続可能な測色器は、１種類に限らず、異なる測色性能を有する複数の測色器のうちのいずれかの測色器であってもよい。
【００４７】
このように、本実施形態の画像形成装置８では、画像形成装置８に設けられた測色器である、プラテンガラス３４上の色票を測色する画像読取ユニット１４及び定着器２４の下流に設けられたインラインセンサ２６による色票の測色に加え、測色器接続ＩＦ１２６を介して接続される測色器による色票の測色も可能である。ここで、各測色器の上述の構成については一例に過ぎず、画像形成装置８に設けられた測色器及び画像形成装置８に接続可能な測色器の各測色器の個数及び測色性能の優劣の順序は限定しない。また、画像形成装置８ごとに異なる測色性能の測色器が設けられ又は接続可能であってもよい。なお、測色する色票については後述する。
【００４８】
次にサーバ装置６について説明する。
図４は、本実施形態の画像形成システム２におけるサーバ装置６のハードウェア構成を示すブロック図である。
【００４９】
サーバ装置６は、図４に示されるように、ＣＰＵ１３０、メモリ１３２、ハードディスクドライブ（ＨＤＤ）等の記憶装置１３４、ネットワークを介して端末装置４及び画像形成装置８などの外部の装置との間でデータの送信及び受信を行う通信装置１３６、入出力装置１３８を有する。
【００５０】
ＣＰＵ１３０は、メモリ１３２または記憶装置１３４に格納されたプログラムに基づいて処理を実行して、サーバ装置６の動作を制御する。
【００５１】
なお、本実施形態では、ＣＰＵ１３０は、メモリ１３２または記憶装置１３４内に格納されたプログラムを読み出して実行するものとして説明したが、当該プログラムをＣＤ−ＲＯＭ等の記憶媒体に格納してＣＰＵ１３０に提供することも可能であるし、当該プログラムを、通信装置１３６を介して提供することも可能である。
【００５２】
入出力装置１３８は、情報を表示する表示手段としての表示装置、及び操作者によってなされる入力を受付ける入力受付装置としての機能を備えた装置であり、例えば、タッチパネル、又はディスプレイなどの出力装置及びキーボードなどの入力装置により構成されている。
【００５３】
図５は、プログラムが実行されることにより実現される、色補正装置としての機能としてのサーバ装置６の機能構成を示すブロック図である。
【００５４】
図５に示すように、色補正装置としてのサーバ装置６は、色補正部２００と、色補正データ記憶部２０２と、定義情報記憶部２０４と、表示制御部２０６と、測色器選択部２０８と、補正種類指定部２１０と、色票出力制御部２１２と、測色データ取得部２１４と、色補正データ生成部２１６とを有する。
【００５５】
色補正部２００は、色補正データ記憶部２０２に記憶された色補正データ（キャリブレーションテーブル）に基づいて、入力された画像データに対して色補正を行い補正後の画像データを出力する。ここで、色補正部２００は、画像形成装置８ごとに設けられた色補正データのうち、入力された画像データの画像形成が行なわれる画像形成装置８に対応した色補正データにより補正を行う。
【００５６】
ここで、本実施形態の色補正部２００は、色補正データとしてＤＬＵＴ（Direct Look Up Table）を用い、１ＤＬＵＴによる補正、又は１ＤＬＵＴ及び４ＤＬＵＴによる補正を行う。ここで、１ＤＬＵＴとは、単色の入力（１次元の入力）に対して、補正後の単色の出力（１次元の出力）を行うテーブルである。例えば、イエロー（Ｙ）の入力に対して、補正後のイエロー（Ｙ'）を出力するテーブルであり、マゼンタ（Ｍ）、シアン（Ｃ）、黒（Ｋ）についても同様のテーブルが存在する。４ＤＬＵＴとは、多次色の入力（多次元の入力）に対して、補正後の多次色の出力（多次元の出力）を行なうテーブルである。本実施形態では、４ＤＬＵＴは、（Ｙ，Ｍ，Ｃ，Ｋ）の入力に対して、補正後の（Ｙ'，Ｍ'，Ｃ'，Ｋ'）を出力するテーブルである。
【００５７】
色補正部２００は、画像形成が行なわれる画像形成装置８に対応する１ＤＬＵＴ及び４ＤＬＵＴが作成されている場合には、１ＤＬＵＴ及び４ＤＬＵＴによる補正を行い、画像形成が行なわれる画像形成装置８に対応する１ＤＬＵＴは作成されているものの４ＤＬＵＴが作成されていない場合には、１ＤＬＵＴのみによる補正により色補正（階調の補正）を行う。
【００５８】
色補正部２００が使用する、１ＤＬＵＴ、４ＤＬＵＴといった色補正データは、画像形成装置８ごとに色特性の補正（キャリブレーション）を行なうことにより生成される。以下、キャリブレーションの実施に係る各構成について順に説明する。なお、以下の説明において、１次色の色特性の補正（階調特性の補正）に相当する、４ＤＬＵＴを生成せず１ＤＬＵＴのみを生成するキャリブレーションについては、「単色キャリブレーション」ということがある。また、出力色空間における多次色の色特性の補正に相当する４ＤＬＵＴ及び１ＤＬＵＴを生成するキャリブレーションについては、「多次元キャリブレーション」ということがある。
【００５９】
定義情報記憶部２０４は、画像形成装置８が出力した後述する色票を測色する測色器ごとに、測色器が対応可能な色特性の補正（キャリブレーション）の種類を予め定義した定義情報を記憶する。
【００６０】
キャリブレーションでは、まず、キャリブレーション対象の画像形成装置８において、色票（カラーチャート）を記録媒体上に印刷出力し、次に、この記録媒体の色票が測色器で測色される。そして、測色結果が目標濃度に一致するように入力画像信号の色を補正する色補正データが作成される。ここで、測色器の測色性能によっては、複数種類のキャリブレーションのうち、一部については、実施できないか又は実施したとしても予め定められた補正精度を満たすことができない。具体的には、４ＤＬＵＴを生成するには、予め定められた測色性能が必要とされるため、測色器の測色性能によっては４ＤＬＵＴの生成することができない。したがって、この場合、当該測色器では、「単色キャリブレーション」及び「多次元キャリブレーション」の２つの種類のキャリブレーションのうち、「多次元キャリブレーション」については適さないこととなる。
【００６１】
本実施形態では、定義情報記憶部２０４は、測色器ごとに、「単色キャリブレーション」に対応可能であるか、「多次元キャリブレーション」に対応可能であるかを定義した定義情報を記憶する。また、本実施形態の定義情報記憶部２０４は、それぞれの画像形成装置８に対し、当該画像形成装置８に設けられている測色器又は当該画像形成装置８に接続される測色器ごとの対応可能な色特性の補正の種類を予め定義した定義情報を記憶している。
【００６２】
図６は、定義情報記憶部２０４が記憶する画像形成装置８−１に対する定義情報の一例を示す模式図である。図６に示すように、例えば、定義情報においては、当該画像形成装置８に接続される及び当該画像形成装置８に設けられている測色器が定義され、さらに、測色器ごとに、対応可能な色特性の補正の種類が定義されている。なお、画像形成装置８−１以外の他の画像形成装置８に対しても、同様に定義情報が記憶されている。
【００６３】
図６に示した例では、画像形成装置８−１に測色器接続ＩＦ１２６を介して接続される測色器（図６中で「測色器Ａ」と表記されている測色器）、画像形成装置８−１に設けられている画像読取ユニット１４としての測色器（図６中で「プラテン」と表記されている測色器）、及び画像形成装置８−１に設けられているインラインセンサ２６としての測色器（図６中で「インラインセンサ」と表記されている測色器）が測色器として定義されている。また、「測色器Ａ」は、単色キャリブレーション及び多次元キャリブレーションに対応可能な測色器として定義されており、「プラテン」及び「インラインセンサ」は、単色キャリブレーションのみ対応可能な測色器として定義されている。
【００６４】
表示制御部２０６は、色特性の補正を実施する際に表示する画面を入出力装置１３８に表示する制御を行なう。ここで、表示制御部２０６は、定義情報記憶部２０４が記憶する定義情報に基づいて、測色器ごとの対応可能な色特性の補正（キャリブレーション）の種類を表示するよう制御する。なお、表示制御部２０６は、入出力装置１３８に限らず、サーバ装置６とは別に設けられた表示手段に表示するよう制御してもよい。
【００６５】
測色器選択部２０８は、測色器のうち色特性の補正に用いる測色器を選択する。具体的には、測色器選択部２０８は、表示制御部２０６による制御により表示された画面に対する使用者の選択操作に基づいて、測色器を選択する。
【００６６】
補正種類指定部２１０は、測色器選択部２０８により選択された測色器が対応可能な種類のうち実施する種類を指定する。具体的には、補正種類指定部２１０は、表示制御部２０６による制御により表示された画面に対する使用者の指定操作に基づいて、実施する色特性の補正の種類を指定する。
【００６７】
色票出力制御部２１２は、補正種類指定部２１０により指定された色特性の補正の種類に応じた色票を出力するよう制御する。本実施形態では、色票出力制御部２１２は、補正種類指定部２１０により、単色キャリブレーションの実施が指定された場合には、キャリブレーション対象の画像形成装置８において単色キャリブレーションのカラーチャートを画像形成出力するよう制御し、多次元キャリブレーションの実施が指定された場合には、キャリブレーション対象の画像形成装置８において多次元キャリブレーションのカラーチャートを画像形成出力するよう制御する。各カラーチャートの画像データについては、サーバ装置６が記憶し、画像形成装置８へ送信してもよいし、画像形成装置８が記憶していてもよい。
【００６８】
測色データ取得部２１４は、色票出力制御部２１２の制御によりキャリブレーション対象の画像形成装置８から画像形成出力された色票を、測色器選択部２０８で選択された測色器で測色した結果である測色データを取得する。測色データ取得部２１４は、例えば、通信装置１３６を介して取得する。
【００６９】
色補正データ生成部２１６は、キャリブレーション対象の画像形成装置８用の色補正データとして、測色データ取得部２１４が取得した測色データに基づいて、入力画像信号が目標濃度となるよう補正するデータを生成する。本実施形態では、多次元キャリブレーションに対しては、４ＤＬＵＴ及びＹＭＣＫ各色の１ＤＬＵＴを生成し、単色キャリブレーションに対しては、ＹＭＣＫ各色の１ＤＬＵＴを生成する。色補正データ生成部２１６は、生成した色補正データを色補正データ記憶部２０２に記憶する。
【００７０】
図７は、画像形成装置８の色特性の補正を行う場合に、図６に示した定義情報に基づく表示制御部２０６の制御により表示される設定画面の一例を示す模式図である。図７（ａ）は、色特性の補正の際に当該画像形成装置８から画像形成出力された色票を測色する測色器を選択する操作を受付ける際の画面表示の一例を示し、図７（ｂ）及び（ｃ）は、選択された測色器が対応可能な色特性の補正の種類のうち実施する色特性の補正を指示する操作を受付ける際の画面表示の例を示している。
【００７１】
なお、図７（ｂ）では、「測色器Ａ」が選択された場合に、「測色器Ａ」が対応可能なキャリブレーションの種類として、「単色キャリブレーション」及び「多次元キャリブレーション」が表示される例を示しており、図７（ｃ）では、「プラテン」が選択された場合に、「プラテン」が対応可能なキャリブレーションの種類として、「単色キャリブレーション」が表示される例を示している。
【００７２】
図７に示される設定画面では、測色器選択受付部３００、補正種類指定受付部３０２、決定ボタン３０４が設けられている。
【００７３】
測色器選択受付部３００は、色特性の補正に用いられる色票を測色する測色器の選択肢を表示するとともに、測色に使用する測色器を選択する操作を受付ける画面表示であり、本実施形態では、プルダウンメニューにより表示されている。表示制御部２０６は、定義情報記憶部２０４が記憶する定義情報に定義されている測色器を、測色器選択受付部３００に一覧表示するよう制御する。ここで、本実施形態の測色器選択部２０８は、測色器選択受付部３００が受付けた使用者による選択操作に基づいて、定義情報に定義されている測色器のうち色特性の補正に用いる測色器を選択する。
【００７４】
補正種類指定受付部３０２は、選択された測色器が対応可能な色特性の補正の種類の一覧を表示するとともに、実施する色特性の補正の種類を指定する操作を受付ける画面表示であり、本実施形態では、プルダウンメニューにより表示されている。表示制御部２０６は、定義情報記憶部２０４が記憶する定義情報に基づいて、選択された測色器が対応可能な色特性の補正の種類を、補正種類指定受付部３０２に一覧表示するよう制御する。ここで、本実施形態の補正種類指定部２１０は、補正種類指定受付部３０２が受付けた使用者による指定操作に基づいて、実施する色特性の補正の種類を指定する。
【００７５】
決定ボタン３０４は、選択された測色器を用いて、指定された色特性の補正の実施を行うことを決定する操作を受付ける。使用者によって決定ボタン３０４が扱われると、色票出力制御部２１２は、補正種類指定部２１０により指定された色特性の補正の種類に応じた色票を、補正対象の画像形成装置８において出力するよう制御する。
【００７６】
図８は、色票出力制御部２１２により、色特性の補正対象の画像形成装置８において出力されるカラーチャートの一例を示す模式図であり、図８（ａ）は、「単色キャリブレーション」の場合のカラーチャートを示し、図８（ｂ）は、「多次元キャリブレーション」の場合のカラーチャートを示している。図８に示されるように、本実施形態では、色票出力制御部２１２は、「単色キャリブレーション」の場合、１０５個のパッチから構成されるカラーチャートを出力するよう制御し、「多次元キャリブレーション」の場合、「単色キャリブレーション」の場合のカラーチャートよりも色の組み合わせが複雑な２５２個のパッチから構成されるカラーチャートを出力するよう制御する。
【００７７】
図９は、表示制御部２０６による設定画面の表示制御についての動作の一例を示すフローチャートである。
【００７８】
ステップ１００（Ｓ１００）において、表示制御部２０６は、色特性の補正対象の画像形成装置８の定義情報を定義情報記憶部２０４から読みこむ。
【００７９】
ステップ１０２（Ｓ１０２）において、表示制御部２０６は、定義情報に定義されている測色器を、図７（ａ）に示されるように、測色器選択受付部３００に一覧表示する。
【００８０】
ステップ１０４（Ｓ１０４）において、表示制御部２０６は、使用者の選択操作に基づいて選択された測色器が対応可能な色特性の補正の種類を定義情報に基づいて判定する。対応可能な色特性の補正の種類が、「単色キャリブレーション」だけである場合、ステップ１０６へ移行し、対応可能な色特性の補正の種類が、「単色キャリブレーション」及び「多次元キャリブレーション」の場合、ステップ１０８へ移行する。
【００８１】
ステップ１０６（Ｓ１０６）において、表示制御部２０６は、選択された測色器が対応可能な色特性の補正の種類として、補正種類指定受付部３０２に「単色キャリブレーション」を表示するよう制御する。
【００８２】
一方、ステップ１０８（Ｓ１０８）では、表示制御部２０６は、選択された測色器が対応可能な色特性の補正の種類として、補正種類指定受付部３０２に「単色キャリブレーション」及び「多次元キャリブレーション」を表示するよう制御する。
【００８３】
以上の実施形態の説明では、キャリブレーション対象の画像形成装置８に設けられた測色器又はキャリブレーション対象の画像形成装置８に接続される測色器について、対応可能な色特性の補正の種類を表示するよう制御する構成について示したが、キャリブレーション対象の画像形成装置８に設けられた測色器及びキャリブレーション対象の画像形成装置８に接続される測色器以外の測色器により測色した測色データを測色データ取得部２１４が取得して色補正データを生成する場合には、表示制御部２０６は、この測色器が対応可能な色特性の補正の種類を表示するよう制御してもよい。
【００８４】
また、サーバ装置６に測色器が設けられている場合、又はサーバ装置に測色器を接続可能である場合には、表示制御部２０６は、これらの測色器が対応可能な色特性の補正の種類を表示するよう制御してもよい。
【００８５】
また、上記実施形態では、画像形成装置８とは異なる装置であるサーバ装置に色補正装置としての機能を持たせた構成について説明したが、色補正装置としての機能が画像形成装置８に備えられていてもよい。
【符号の説明】
【００８６】
２          画像形成システム
４          端末装置
６          サーバ装置
８          画像形成装置
１４        画像読取ユニット
２６        インラインセンサ
１２６      測色器接続ＩＦ
２００      色補正部
２０２      色補正データ記憶部
２０４      定義情報記憶部
２０６      表示制御部
２０８      測色器選択部
２１０      補正種類指定部
２１２      色票出力制御部
２１４      測色データ取得部
２１６      色補正データ生成部
【図１】
2015019193.tif 000003
【図２】
2015019193.tif 000004
【図３】
2015019193.tif 000005
【図４】
2015019193.tif 000006
【図５】
2015019193.tif 000007
【図６】
2015019193.tif 000008
【図７】
2015019193.tif 000009
【図８】
2015019193.tif 000010
【図９】
2015019193.tif 000011